(57)【要約】【課題】  長期間に亘ってセンサホルダの固定を維持し、車輪の回転速度検出の信頼性を向上させた回転速度検出装置付き車輪用軸受装置を提供する。【解決手段】  センサホルダ１６が、外方部材５の端部外周５ｃに圧入された円筒状の嵌合部１７ａと、これから径方向内方に延びる鍔部１７ｂと、これから軸方向に延びる底部１７ｃとからなる鋼板製のカバー１７と、この底部１７ｃに結合され、回転速度センサ１９が包埋された合成樹脂製の保持部１８とを備え、カバー１７の嵌合部１７ａに円周等配位置に径方向内方に突出し、嵌合方向に漸次大径となる傾斜した係止片２６が切り起こし加工によって複数形成されると共に、外方部材５の端部外周５ｃに環状の係止溝２７が形成され、この係止溝２７に係止片２６を係合させ、外方部材５に対してカバー１７が軸方向に固定されている。【選択図】図２
2006308396.tif 000002
【特許請求の範囲】
【請求項１】
外周にナックルに取り付けるための車体取付フランジを一体に有し、内周に複列の外側転走面が形成された外方部材と、
一端部に車輪を取り付けるための車輪取付フランジを一体に有し、外周に軸方向に延びる小径段部が形成されたハブ輪、およびこのハブ輪の小径段部に圧入された内輪とからなり、外周に前記複列の外側転走面に対向する内側転走面が形成された内方部材と、
この内方部材および前記外方部材のそれぞれの転走面間に転動自在に収容された複列の転動体と、
前記外方部材の端部に装着され、回転速度センサを有するセンサホルダと、
前記内輪に外嵌され、前記回転速度センサに所定のエアギャップを介して対向配置された磁気エンコーダとを備えた回転速度検出装置付き車輪用軸受装置において、
前記センサホルダが、前記外方部材の端部外周に嵌合された円筒状の嵌合部と、この嵌合部から径方向内方に延びる鍔部と、この鍔部から軸方向に延びる底部とからなる鋼板製のカバーと、このカバーの底部に結合され、前記回転速度センサが包埋された合成樹脂製の保持部とを備え、前記カバーの嵌合部に、径方向内方に突出して嵌合方向に漸次大径となる傾斜した係止片が形成されると共に、前記外方部材の端部外周に環状の係止溝が形成され、この係止溝に前記係止片を係合させ、前記外方部材に対して前記カバーが軸方向に固定されていることを特徴とする回転速度検出装置付き車輪用軸受装置。
【請求項２】
前記外方部材に前記ナックルのインロウ部が形成され、このインロウ部より前記端部外周が小径に形成され、その外径が前記カバーの板厚に相当する段差になるように設定されている請求項１に記載の回転速度検出装置付き車輪用軸受装置。
【請求項３】
前記係止片が、前記嵌合部の円周等配位置に切り起こし加工によって複数形成されている請求項１または２に記載の回転速度検出装置付き車輪用軸受装置。
【請求項４】
前記係止溝が矩形状断面に形成されている請求項１乃至３いずれかに記載の回転速度検出装置付き車輪用軸受装置。
【請求項５】
前記係止溝が、両側の壁面のうち少なくともインボード側の壁面が外径方向に広がる傾斜面に形成されている請求項１乃至３いずれかに記載の回転速度検出装置付き車輪用軸受装置。
【発明の詳細な説明】
【技術分野】
【０００１】
本発明は、自動車等の車輪を回転自在に支承すると共に、この車輪の回転速度を検出する回転速度検出装置が内蔵された回転速度検出装置付き車輪用軸受装置に関するものである。
【背景技術】
【０００２】
自動車の車輪を懸架装置に対して回転自在に支承すると共に、アンチロックブレーキシステム（ＡＢＳ）を制御し、車輪の回転速度を検出する回転速度検出装置が内蔵された回転速度検出装置付き車輪用軸受装置が一般的に知られている。従来、このような車輪用軸受装置は、転動体を介して転接する内方部材および外方部材の間にシール装置が設けられ、円周方向に磁極を交互に並べてなる磁気エンコーダを前記シール装置に一体化させると共に、磁気エンコーダと、この磁気エンコーダに対面配置され、車輪の回転に伴う磁気エンコーダの磁極変化を検出する回転速度センサとで回転速度検出装置が構成されている。
【０００３】
前記回転速度センサは、懸架装置を構成するナックルに車輪用軸受装置が装着された後、当該ナックルに装着されているものが一般的である。しかし、この回転速度センサと磁気エンコーダとのエアギャップ調整作業の煩雑さを解消すると共に、よりコンパクト化を狙って最近では、回転速度センサをも軸受に内蔵した回転速度検出装置付き車輪用軸受装置が提案されている。
【０００４】
このような回転速度検出装置付き車輪用軸受装置の一例として図５に示すような構造が知られている。この回転速度検出装置付き車輪用軸受装置は、図示しない懸架装置に支持固定され、固定部材となる外方部材６１と、この外方部材６１に複列の転動体（ボール）６３、６３を介して内挿された内方部材６２とを有している。外方部材６１は、外周に車体取付フランジ６１ｂを一体に有し、内周には複列の外側転走面６１ａ、６１ａが形成されている。一方、内方部材６２は、前記した外方部材６１の外側転走面６１ａ、６１ａに対向する複列の内側転走面６５ａ、６６ａが形成されている。これら複列の内側転走面６５ａ、６６ａのうち一方の内側転走面６５ａはハブ輪６５の外周に一体形成され、他方の内側転走面６６ａは内輪６６の外周に形成されている。この内輪６６は、ハブ輪６５の内側転走面６５ａから軸方向に延びる円筒状の小径段部６５ｂに圧入されている。そして、複列の転動体６３、６３がこれら両転走面間にそれぞれ収容され、保持器６７、６７によって転動自在に保持されている。
【０００５】
ハブ輪６５は、外周に車輪（図示せず）を取り付けるための車輪取付フランジ６４を一体に有し、この車輪取付フランジ６４の円周等配位置には車輪を固定するためのハブボルト６４ａが植設されている。また、ハブ輪６５の内周にはセレーション６５ｃが形成され、図示しない等速自在継手を構成する外側継手部材７０のステム部７１が内嵌されている。内方部材６２は、このハブ輪６５と内輪６６を指す。そして、外方部材６１の端部にはシール６８、６９が装着され、軸受内部に封入された潤滑グリースの漏洩と、外部から軸受内部に雨水やダスト等が侵入するのを防止している。
【０００６】
インボード側のシール６９は、図６に拡大して示すように、外方部材６１の端部内周に内嵌され、断面Ｌ字状に形成された第１のシール板７２と、この第１のシール板７２に対向し、断面Ｌ字状に形成された第２のシール板７３とからなる。この第２のシール板７３は、内輪６６に外嵌される円筒部７３ａと、この円筒部７３ａから径方向外方に延びる立板部７３ｂとを有し、この立板部７３ｂの外側面には、磁性体粉が混入され、周方向に交互に磁極Ｎ、Ｓが形成されたゴム磁石からなる磁気エンコーダ７４が一体に加硫接着されている。
【０００７】
一方、第１のシール板７２は、断面Ｌ字状に形成された芯金７５と、この芯金７５に一体に加硫接着され、前記第２のシール板７３における立板部７３ｂの内側面に摺接するサイドリップ７６ａと、円筒部７３ａに摺接する一対のラジアルリップ７６ｂ、７６ｃとからなるシール部材７６とを有している。
【０００８】
外方部材６１の端部には円環状のセンサホルダ７９が装着されている。このセンサホルダ７９は、嵌合筒７７と、この嵌合筒７７に結合された保持部７８とからなる。嵌合筒７７は、円筒状の嵌合筒部７７ａと、この嵌合筒部７７ａから径方向内方に延びる内向鍔部７７ｂとからなり、全体として円環状に形成されている。
【０００９】
また、保持部７８は、その内部に前記磁気エンコーダ７４に所定のエアギャップを介して対峙する回転速度センサ８０が包埋され、合成樹脂で一体モールド成形されている。回転速度センサ８０は、ホール素子、磁気抵抗素子（ＭＲ素子）等、磁束の流れ方向に応じて特性を変化させる磁気検出素子と、この磁気検出素子の出力波形を整える波形成形回路が組み込まれたＩＣとからなる。
【００１０】
ここで、内輪６６の端面と嵌合筒７７の内向鍔部７７ｂとを微小隙間８１を介して全周に亙り近接対向させてラビリンスシールが構成されている。これにより、自動車の完成品メーカの組立ラインへの搬送時を含む、ハブ輪６５の内径に外側継手部材７０のステム部７１を嵌合する以前の状態でも、磁気エンコーダ７４と回転速度センサ８０の検出部との間に外部から磁性粉末等の異物が侵入するのを防止でき、車輪の回転速度検出の信頼性向上を図ることができる。
【特許文献１】特開２００３−２５４９８５号公報
【発明の開示】
【発明が解決しようとする課題】
【００１１】
こうした従来の回転速度検出装置付き車輪用軸受装置は、自動車の完成品メーカの組立ラインへの搬送時を含む、ハブ輪６５の内径に外側継手部材７０のステム部７１を嵌合する以前の状態でも、磁気エンコーダ７４と回転速度センサ８０の検出部との間に外部から磁性粉末等の異物が侵入するのを防止できるという特徴を具備しているものの、嵌合筒７７が外方部材６１の端部に圧入嵌合して固定されているだけで、センサホルダ７９が軸方向に移動する恐れがある。すなわち、この種の車輪用軸受装置においては、走行時に様々な振動が発生すると共に、外方部材６１には負荷される荷重によって繰り返し変形が生じるために嵌合筒７７が微動し、磁気エンコーダ７４と回転速度センサ８０の検出部との間のエアギャップが崩れる恐れがある。これにより、車輪の回転速度検出の信頼性が低下するだけでなく、長期間の使用において、センサホルダ７９が外方部材６１から脱落する恐れがあった。
【００１２】
本発明は、このような事情に鑑みてなされたもので、長期間に亘ってセンサホルダの固定を維持し、車輪の回転速度検出の信頼性を向上させた回転速度検出装置付き車輪用軸受装置を提供することを目的としている。
【課題を解決するための手段】
【００１３】
係る目的を達成すべく、本発明のうち請求項１記載の発明は、外周にナックルに取り付けるための車体取付フランジを一体に有し、内周に複列の外側転走面が形成された外方部材と、一端部に車輪を取り付けるための車輪取付フランジを一体に有し、外周に軸方向に延びる小径段部が形成されたハブ輪、およびこのハブ輪の小径段部に圧入された内輪とからなり、外周に前記複列の外側転走面に対向する内側転走面が形成された内方部材と、この内方部材および前記外方部材のそれぞれの転走面間に転動自在に収容された複列の転動体と、前記外方部材の端部に装着され、回転速度センサを有するセンサホルダと、前記内輪に外嵌され、前記回転速度センサに所定のエアギャップを介して対向配置された磁気エンコーダとを備えた回転速度検出装置付き車輪用軸受装置において、前記センサホルダが、前記外方部材の端部外周に嵌合された円筒状の嵌合部と、この嵌合部から径方向内方に延びる鍔部と、この鍔部から軸方向に延びる底部とからなる鋼板製のカバーと、このカバーの底部に結合され、前記回転速度センサが包埋された合成樹脂製の保持部とを備え、前記カバーの嵌合部に、径方向内方に突出して嵌合方向に漸次大径となる傾斜した係止片が形成されると共に、前記外方部材の端部外周に環状の係止溝が形成され、この係止溝に前記係止片を係合させ、前記外方部材に対して前記カバーが軸方向に固定されている構成を採用した。
【００１４】
このように、内輪回転タイプの回転速度検出装置付き車輪用軸受装置において、センサホルダが、外方部材の端部外周に圧入された円筒状の嵌合部と、この嵌合部から径方向内方に延びる鍔部と、この鍔部から軸方向に延びる底部とからなる鋼板製のカバーと、このカバーの底部に結合され、回転速度センサが包埋された合成樹脂製の保持部とを備え、カバーの嵌合部に、径方向内方に突出して嵌合方向に漸次大径となる傾斜した係止片が形成されると共に、外方部材の端部外周に環状の係止溝が形成され、この係止溝に係止片を係合させ、外方部材に対してカバーが軸方向に固定されるようにしたので、嵌合部を外方部材の端部外周に嵌合することにより係止片が弾性変形し、係止溝の位置で径方向内方に復元する。したがって、加締工程等を設けることなく、あるいは、従来のように、端部外周に強圧入しなくてもワンタッチでカバーを装着することができ、組立工数が削減できて低コスト化を図ることができる。また、一旦係止溝にこの係止片が係合すればロック状態となり、車両走行時に振動が発生しても、また、外方部材に大きな荷重が負荷され、繰り返し楕円形状等に変形が生じても、カバーは外方部材に強固に固定され移動することはない。したがって、長期間に亘って磁気エンコーダと回転速度センサの検出部との間のエアギャップを初期に設定された状態に維持することができ、車輪の回転速度検出の信頼性が向上する。
【００１５】
好ましくは、請求項２に記載の発明のように、前記外方部材に前記ナックルのインロウ部が形成され、このインロウ部より前記端部外周が小径に形成され、その外径が前記カバーの板厚に相当する段差になるように設定されていれば、組立完了後は、カバーの嵌合部がナックルの内径に拘束されているため、外方部材の係止溝との係合が解かれることはなく、確実にカバーの移動を防止することができる。
【００１６】
また、請求項３に記載の発明のように、前記係止片が、前記嵌合部の円周等配位置に切り起こし加工によって複数形成されていれば、加工性を向上させるためにカバーの板厚を薄く設定しても所望の抜け耐力を確保することができる。
【００１７】
また、前記係止溝が、請求項４に記載の発明のように、矩形状断面に形成されていても良いし、また、請求項５に記載の発明のように、両側の壁面のうち少なくともインボード側の壁面が外径方向に広がる傾斜面に形成されていても良い。
【発明の効果】
【００１８】
本発明に係る回転速度検出装置付き車輪用軸受装置は、外周にナックルに取り付けるための車体取付フランジを一体に有し、内周に複列の外側転走面が形成された外方部材と、一端部に車輪を取り付けるための車輪取付フランジを一体に有し、外周に軸方向に延びる小径段部が形成されたハブ輪、およびこのハブ輪の小径段部に圧入された内輪とからなり、外周に前記複列の外側転走面に対向する内側転走面が形成された内方部材と、この内方部材および前記外方部材のそれぞれの転走面間に転動自在に収容された複列の転動体と、前記外方部材の端部に装着され、回転速度センサを有するセンサホルダと、前記内輪に外嵌され、前記回転速度センサに所定のエアギャップを介して対向配置された磁気エンコーダとを備えた回転速度検出装置付き車輪用軸受装置において、前記センサホルダが、前記外方部材の端部外周に嵌合された円筒状の嵌合部と、この嵌合部から径方向内方に延びる鍔部と、この鍔部から軸方向に延びる底部とからなる鋼板製のカバーと、このカバーの底部に結合され、前記回転速度センサが包埋された合成樹脂製の保持部とを備え、前記カバーの嵌合部に、径方向内方に突出して嵌合方向に漸次大径となる傾斜した係止片が形成されると共に、前記外方部材の端部外周に環状の係止溝が形成され、この係止溝に前記係止片を係合させ、前記外方部材に対して前記カバーが軸方向に固定されているので、嵌合部を外方部材の端部外周に嵌合することにより係止片が弾性変形し、係止溝の位置で径方向内方に復元する。したがって、加締工程等を設けることなく、あるいは、従来のように、端部外周に強圧入しなくてもワンタッチでカバーを装着することができ、組立工数が削減できて低コスト化を図ることができる。また、一旦係止溝にこの係止片が係合すればロック状態となり、車両走行時に振動が発生しても、また、外方部材に大きな荷重が負荷され、繰り返し楕円形状等に変形が生じても、カバーは外方部材に強固に固定され移動することはない。したがって、長期間に亘って磁気エンコーダと回転速度センサの検出部との間のエアギャップを初期に設定された状態に維持することができ、車輪の回転速度検出の信頼性が向上する。
【発明を実施するための最良の形態】
【００１９】
外周にナックルに取り付けるための車体取付フランジを一体に有し、内周に複列の外側転走面が形成された外方部材と、一端部に車輪を取り付けるための車輪取付フランジを一体に有し、外周に前記複列の外側転走面に対向する一方の内側転走面と、この内側転走面から軸方向に延びる円筒状の小径段部が形成されたハブ輪、およびこのハブ輪の小径段部に圧入され、外周に前記複列の外側転走面に対向する他方の内側転走面が形成された内輪とからなる内方部材と、この内方部材および前記外方部材のそれぞれの転走面間に転動自在に収容された複列の転動体と、前記外方部材の端部に装着され、回転速度センサを有するセンサホルダと、前記内輪に外嵌され、前記回転速度センサに所定のエアギャップを介して対向配置された磁気エンコーダとを備えた回転速度検出装置付き車輪用軸受装置において、前記センサホルダが、前記外方部材の端部外周に嵌合された円筒状の嵌合部と、この嵌合部から径方向内方に延びる鍔部と、この鍔部から軸方向に延びる底部とからなる鋼板製のカバーと、このカバーの底部に結合され、前記回転速度センサが包埋された合成樹脂製の保持部とを備え、前記カバーの嵌合部に円周等配位置に径方向内方に突出し、嵌合方向に漸次大径となる傾斜した係止片が切り起こし加工によって複数形成されると共に、前記外方部材の端部外周に環状の係止溝が形成され、この係止溝に前記係止片を係合させ、前記外方部材に対して前記カバーが軸方向に固定されている。
【実施例】
【００２０】
以下、本発明の実施の形態を図面に基づいて詳細に説明する。
図１は、本発明に係る回転速度検出装置付き車輪用軸受装置の一実施形態を示す縦断面図、図２は、図１の要部拡大図、図３（ａ）は、本発明に係るセンサホルダの実施形態を示す断面図、（ｂ）は正面図である。なお、以下の説明では、車両に組み付けた状態で車両の外側寄りとなる側をアウトボード側（図面左側）、中央寄り側をインボード側（図面右側）という。
【００２１】
この回転速度検出装置付き車輪用軸受装置は駆動輪用の第３世代と称され、ハブ輪１と内輪２とからなる内方部材３と、この内方部材３に複列の転動体（ボール）４、４を介して外挿された外方部材５とを備えている。
【００２２】
ハブ輪１は、アウトボード側の端部に車輪（図示せず）を取り付けるための車輪取付フランジ６を一体に有し、この車輪取付フランジ６の円周等配位置にハブボルト６ａが植設されている。また、外周には一方（アウトボード側）の内側転走面１ａと、この内側転走面１ａから軸方向に延びる円筒状の小径段部１ｂが形成されている。この小径段部１ｂには外周に他方（インボード側）の内側転走面２ａが形成された内輪２が所定のシメシロを介して圧入されている。
【００２３】
外方部材５は、Ｓ５３Ｃ等の炭素０．４０〜０．８０ｗｔ％を含む中炭素鋼からなり、外周に懸架装置を構成するナックルＮに取り付けるための車体取付フランジ５ｂを一体に有し、内周に前記複列の内側転走面１ａ、２ａに対向する複列の外側転走面５ａ、５ａが一体に形成されている。これら外側転走面５ａ、５ａには高周波焼入れによって表面硬さを５８〜６４ＨＲＣの範囲に硬化層が形成されている。そして、この外方部材５の外側転走面５ａ、５ａと、これらに対向する複列の内側転走面１ａ、２ａ間には複列の転動体４、４がそれぞれ収容され、保持器７、７によって転動自在に保持されている。また、外方部材５の端部にはシール８、９が装着され、軸受内部に封入された潤滑グリースの漏洩と、外部から軸受内部に雨水やダスト等が侵入するのを防止している。
【００２４】
ハブ輪１は、Ｓ５３Ｃ等の炭素０．４０〜０．８０ｗｔ％を含む中炭素鋼からなり、アウトボード側のシール８が摺接するシールランド部から内側転走面１ａおよび小径段部１ｂに亙って高周波焼入れによって表面硬さを５８〜６４ＨＲＣの範囲に硬化層が形成されている。これにより、車輪取付フランジ６の基部となるシールランド部は耐摩耗性が向上するばかりでなく、車輪取付フランジ６に負荷される回転曲げ荷重に対して充分な機械的強度を有し、ハブ輪１の耐久性が一層向上する。一方、内輪２は、ＳＵＪ２等の高炭素クロム軸受鋼からなり、ズブ焼入れにより芯部まで５８〜６４ＨＲＣの範囲で硬化処理されている。
【００２５】
ハブ輪１の内周にはセレーション（またはスプライン）１ｃが形成され、等速自在継手１０を構成する外側継手部材１１が内嵌されている。外側継手部材１１は、カップ状のマウス部１２と、このマウス部１２の底部をなす肩部１３、およびこの肩部１３から軸方向に延びるステム部１４を一体に備えている。ステム部１４の外周にはセレーション（またはスプライン）１４ａが形成され、ハブ輪１のセレーション１ｃに係合している。外側継手部材１１は、その肩部１３が内輪２に突き合わされ、固定ナット１５によってハブ輪１と外側継手部材１２とが着脱可能に軸方向に一体結合されている。また、ステム部１４の基部はハブ輪１の小径段部１ｂに所定の径方向すきまを介して内嵌されている。これにより、ハブ輪１の端部はステム部１４に円筒支持されるので、ハブ輪１の剛性が増して耐久性が一段と向上する。なお、ここでは、転動体４、４をボールとした複列アンギュラ玉軸受を例示したが、これに限らず転動体に円すいころを使用した複列円すいころ軸受であっても良い。また、本実施形態では、第３世代と称される構造を例示したが、これに限らず、例えば、第２世代構造であっても良い。
【００２６】
本実施形態では、センサホルダ１６が外方部材５の端部に装着されている。このセンサホルダ１６は、図２に拡大して示すように、断面が略カップ状に形成されたカバー１７と、このカバー１７に結合された保持部１８とで構成されている。カバー１７は外方部材５の端部外周５ｃに嵌合される円筒状の嵌合部１７ａと、この嵌合部１７ａから径方向内方に延びる鍔部１７ｂと、この鍔部１７ｂから軸方向に延びる底部１７ｃとからなり、全体として円環状に形成されている。センサホルダ１６は、カバー１７の鍔部１７ｂを外方部材５の端面に密着させた状態で、嵌合部１７ａが外方部材５の端部外周５ｃに外嵌することにより外方部材５に固定されるので、センサホルダ１６が外方部材５に対して容易に、かつ正確に位置決め固定することができ、車輪の回転速度を精度良く検出することができる。なお、底部１７ｃには円孔１７ｄが形成され、外側継手部材１１の肩部１３と僅かな径方向すきまを介して対峙し、ラビリンスシール２５を構成している。
【００２７】
カバー１７は、ステンレス鋼板や防錆処理された冷間圧延鋼鈑（ＪＩＳ規格のＳＰＣＣ系等）の耐食性を有する鋼板等をプレス加工にて形成されている。特に、カバー１７が、後述する回転速度センサ１９の感知性能に悪影響を及ぼさないように、非磁性体の鋼鈑、例えば、オーステナイト系ステンレス鋼鈑（ＪＩＳ規格のＳＵＳ３０４系等）で形成されるのが好ましい。
【００２８】
保持部１８は合成樹脂を射出成形により形成され、回転速度センサ１９が包埋されてハーネス１８ａが一体に接続されている。そして、カバー１７における底部１７ｃの径方向外方の一箇所に形成された切欠き部（図示せず）からワンタッチで弾性装着されている。なお、保持部１８は、カバー１７に射出成形によって一体に結合されていても良く、また、カバー１７の底部１７ｃに嵌合するように円環状に形成されていても良い。なお、回転速度センサ１９は、ホール素子、磁気抵抗素子（ＭＲ素子）等、磁束の流れ方向に応じて特性を変化させる磁気検出素子と、この磁気検出素子の出力波形を整える波形成形回路が組み込まれたＩＣとからなる。
【００２９】
一方、内輪２の外径にはスリンガ２０が圧入され、保持部１８と軸方向に対向している。このスリンガ２０はインボード側のシール９を構成し、内輪２に圧入される円筒部２０ａと、この円筒部２０ａから径方向外方に延びる立板部２０ｂとからなる。なお、このスリンガ２０は、強磁性体の鋼鈑、例えば、フェライト系のステンレス鋼鈑（ＪＩＳ規格のＳＵＳ４３０系等）や、防錆処理された冷間圧延鋼鈑（ＪＩＳ規格のＳＰＣＣ系等）からプレス加工によって断面略Ｌ字状に形成されている。そして、スリンガ２０における立板部２０ｂのインボード側の側面には、ゴム等のエラストマにフェライト等の磁性体粉が混入された磁気エンコーダ２１が一体に加硫接着されている。この磁気エンコーダ２１は、周方向に交互に磁極Ｎ、Ｓが着磁され、車輪の回転速度検出用のロータリエンコーダを構成している。なお、ここでは、磁気エンコーダ２１をエラストマ製としたものを例示したが、これに限らず、例えば、フェライト等からなる強磁性体粉を金属バインダーで固めた燒結金属製であっても良い。
【００３０】
インボード側のシール９は、前記スリンガ２０と、このスリンガ２０に対向して外方部材５に装着され、断面略Ｌ字状に形成された環状のシール板２２とからなる。このシール板２２は、外方部材５の端部に内嵌される円筒部２３ａと、この円筒部２３ａの一端から径方向内方に延びる立板部２３ｂとからなる芯金２３と、この芯金２３に加硫接着されたシール部材２４とからなる。芯金２３は、オーステナイト系ステンレス鋼鈑（ＪＩＳ規格のＳＵＳ３０４系等）、あるいは、防錆処理された冷間圧延鋼鈑（ＪＩＳ規格のＳＰＣＣ系等）からプレス加工にて形成されている。
【００３１】
シール部材２４はゴム等の弾性部材からなり、前記スリンガ２０の立板部２０ｂに摺接するサイドリップ２４ａと、円筒部２０ａに摺接するグリースリップ２４ｂおよび中間リップ２４ｃとからなる。また、スリンガ２０における立板部２０ｂの外縁は、芯金２３の円筒部２３ａと僅かな径方向すきまを介して対峙してラビリンスシール２５を構成している。
【００３２】
本実施形態では、インボード側のシール９とセンサホルダ１６とが軸方向に対向配置され、シール９を構成するスリンガ２０に磁気エンコーダ２１が一体接合されると共に、センサホルダ１６を構成する保持部１８に回転速度センサ１９が包埋され、この回転速度センサ１９が、磁気エンコーダ２１に軸方向すきま（エアギャップ）を介して対向配置されている。そして、回転速度センサ１９の出力がハーネス１８ａによって取り出され、図示しないＡＢＳの制御器に送られる。なお、ここでは回転速度検出装置として、磁気エンコーダ２１と、ホール素子等の磁気検出素子からなる回転速度センサ１９とからなるアクティブタイプの回転速度検出装置を例示したが、本発明に係る回転速度検出装置はこれに限らず、例えば、磁気エンコーダと、磁石と巻回された環状のコイル等からなるパッシブタイプであっても良い。
【００３３】
ここで、図３に示すように、カバー１７の嵌合部１７ａには切り起こし加工によって径方向内方に突出し、嵌合方向に漸次大径となる傾斜した、所謂フィッシュフック状の係止片２６が複数形成されている。これらの係止片２６は、嵌合部１７ａの円周等配位置に複数形成され、後述する外方部材５の係止溝２７に係合してカバー１７の軸方向への抜け止めを行う。これにより、加工性を向上させるためにカバー１７の板厚を薄く設定しても所望の抜け耐力を確保することができる。
【００３４】
一方、外方部材５の外周は、カバー１７が嵌合される端部外周５ｃと、ナックルＮの支持面となるインロウ部５ｄとからなり、端部外周５ｃはこのインロウ部５ｄより小径に形成されている。この端部外周５ｃには断面が矩形状をなす環状の係止溝２７が形成されている。なお、端部外周５ｃとインロウ部５ｄは、カバー１７の板厚に相当する段差に設定されている。
【００３５】
前述したように、嵌合部１７ａに形成された係止片２６は嵌合方向に漸次大径となるように傾斜しているため、嵌合部１７ａを外方部材５の端部外周５ｃに嵌合することにより弾性変形し、係止溝２７の位置で径方向内方に復元する。したがって、加締工程等を設けることなく、あるいは、従来のように、端部外周に強圧入しなくてもワンタッチでカバー１７を装着することができ、組立工数が削減できて低コスト化を図ることができる。また、一旦係止溝２７にこの係止片２６が係合すればロック状態となり、さらに、組立完了後は、カバー１７の嵌合部１７ａがナックルＮの内径に拘束されているため、車両走行時に振動が発生しても、また、外方部材５に大きな荷重が負荷され、繰り返し楕円形状等に変形が生じても、カバー１７は外方部材５に強固に固定され移動することはない。したがって、長期間に亘って磁気エンコーダ２１と回転速度センサ１９の検出部との間のエアギャップを初期に設定された状態に維持することができ、車輪の回転速度検出の信頼性が向上する。
【００３６】
なお、ここでは、外方部材５の係止溝２７として断面が矩形状に形成されたものを例示したが、この形状に限らず、係止溝の加工性やカバー１７の抜け性、装着性等を考慮した図４（ａ）〜（ｃ）に示す係止溝を例示することができる。なお、前述した実施形態と同一の部品や部位には同じ符号を付して重複した説明を避ける。
【００３７】
図４（ａ）に示す係止溝２８は、両側の壁面のうちインボード側（図中右側）の壁面が外径方向に広がる傾斜面２８ａに形成されている。また、（ｂ）に示す係止溝２９は、両側の壁面のうちアウトボード側（図中左側）の壁面が係止片２６の外径方向に広がる傾斜面２９ａに形成されている。さらに、（ｃ）に示す係止溝３０は、両側の壁面がそれぞれ傾斜面２８ａ、２９ａに形成されている。
【００３８】
以上、本発明の実施の形態について説明を行ったが、本発明はこうした実施の形態に何等限定されるものではなく、あくまで例示であって、本発明の要旨を逸脱しない範囲内において、さらに種々なる形態で実施し得ることは勿論のことであり、本発明の範囲は、特許請求の範囲の記載によって示され、さらに特許請求の範囲に記載の均等の意味、および範囲内のすべての変更を含む。
【産業上の利用可能性】
【００３９】
本発明に係る回転速度検出装置付き車輪用軸受装置は、内輪回転構造において、従動輪側、駆動輪側に拘わらず、回転速度検出装置が内蔵された車輪用軸受装置に適用することができる。
【図面の簡単な説明】
【００４０】
【図１】本発明に係る回転速度検出装置付き車輪用軸受装置の一実施形態を示す縦断面図である。
【図２】同上、要部拡大図である。
【図３】（ａ）は、本発明に係るセンサホルダの実施形態を示す断面図である。  （ｂ）は、同上正面図である。
【図４】（ａ）乃至（ｃ）は、本発明に係る係止溝の変形例を示す要部拡大図である。
【図５】従来の回転速度検出装置付き車輪用軸受装置を示す縦断面図である。
【図６】同上、要部拡大図である。
【符号の説明】
【００４１】
１・・・・・・・・・・・・ハブ輪
１ａ、２ａ・・・・・・・・内側転走面
１ｂ・・・・・・・・・・・小径段部
１ｃ、１４ａ・・・・・・・セレーション
２・・・・・・・・・・・・内輪
３・・・・・・・・・・・・内方部材
４・・・・・・・・・・・・転動体
５・・・・・・・・・・・・外方部材
５ａ・・・・・・・・・・・外側転走面
５ｂ・・・・・・・・・・・車体取付フランジ
５ｃ・・・・・・・・・・・端部外周
５ｄ・・・・・・・・・・・インロウ部
６・・・・・・・・・・・・車輪取付フランジ
６ａ・・・・・・・・・・・ハブボルト
７・・・・・・・・・・・・保持器
８・・・・・・・・・・・・アウトボード側のシール
９・・・・・・・・・・・・インボード側のシール
１０・・・・・・・・・・・等速自在継手
１１・・・・・・・・・・・外側継手部材
１２・・・・・・・・・・・マウス部
１３・・・・・・・・・・・肩部
１４・・・・・・・・・・・ステム部
１５・・・・・・・・・・・固定ナット
１６・・・・・・・・・・・センサホルダ
１７・・・・・・・・・・・カバー
１７ａ・・・・・・・・・・嵌合部
１７ｂ・・・・・・・・・・鍔部
１７ｃ・・・・・・・・・・底部
１７ｄ・・・・・・・・・・円孔
１８・・・・・・・・・・・保持部
１８ａ・・・・・・・・・・ハーネス
１９・・・・・・・・・・・回転速度センサ
２０・・・・・・・・・・・スリンガ
２０ａ、２３ａ・・・・・・円筒部
２０ｂ、２３ｂ・・・・・・立板部
２１・・・・・・・・・・・磁気エンコーダ
２２・・・・・・・・・・・シール板
２３・・・・・・・・・・・芯金
２４・・・・・・・・・・・シール部材
２４ａ・・・・・・・・・・サイドリップ
２４ｂ・・・・・・・・・・グリースリップ
２４ｃ・・・・・・・・・・中間リップ
２５・・・・・・・・・・・ラビリンスシール
２６・・・・・・・・・・・係止片
２７、２８、２９、３０・・係止溝
２８ａ、２９ａ・・・・・・傾斜面
６１・・・・・・・・・・・外方部材
６１ａ・・・・・・・・・・外側転走面
６１ｂ・・・・・・・・・・車体取付フランジ
６２・・・・・・・・・・・内方部材
６３・・・・・・・・・・・転動体
６４・・・・・・・・・・・車輪取付フランジ
６４ａ・・・・・・・・・・ハブボルト
６５・・・・・・・・・・・ハブ輪
６５ａ、６６ａ・・・・・・内側転走面
６５ｂ・・・・・・・・・・小径段部
６５ｃ・・・・・・・・・・セレーション
６６・・・・・・・・・・・内輪
６７・・・・・・・・・・・保持器
６８、６９・・・・・・・・シール
７０・・・・・・・・・・・外側継手部材
７１・・・・・・・・・・・ステム部
７２・・・・・・・・・・・第１のシール板
７３・・・・・・・・・・・第２のシール板
７３ａ・・・・・・・・・・円筒部
７３ｂ・・・・・・・・・・立板部
７４・・・・・・・・・・・磁気エンコーダ
７５・・・・・・・・・・・芯金
７６・・・・・・・・・・・シール部材
７６ａ・・・・・・・・・・サイドリップ
７６ｂ、７６ｃ・・・・・・ラジアルリップ
７７・・・・・・・・・・・嵌合筒
７７ａ・・・・・・・・・・嵌合筒部
７７ｂ・・・・・・・・・・内向鍔部
７８・・・・・・・・・・・保持部
７９・・・・・・・・・・・センサホルダ
８０・・・・・・・・・・・回転速度センサ
８１・・・・・・・・・・・微小隙間
Ｎ・・・・・・・・・・・・ナックル
【図１】
2006308396.tif 000003
【図２】
2006308396.tif 000004
【図３】
2006308396.tif 000005
【図４】
2006308396.tif 000006
【図５】
2006308396.tif 000007
【図６】
2006308396.tif 000008